(57)【要約】【課題】意匠性を損なうことなく、室内ユニットの前面側から下側までの広範囲にわたってリモコン操作信号を受信することのできる空気調和機を提供する。【解決手段】基台２と筐体３との間に送風ファン４や熱交換器５が設置されると共に、熱交換器５の上流側にフィルタ８が設置され、基台２にリモコン操作信号を受信する受信素子５３が設置された室内ユニット１を有し、筐体３の受信素子５３に対応する位置に受信部２０を設け、この受信部２０に断面ほぼ三角形状の凹部２３を設けて、この凹部２３の底辺面２３ａを受信素子５３の前方に位置させた。【選択図】図１４
2011075158.tif 000002
【特許請求の範囲】
【請求項１】
基台と筐体との間に送風ファンや熱交換器が設置されると共に、前記熱交換器の上流側にフィルタが設置され、前記基台にリモコン操作信号を受信する受信素子が設置された室内ユニットを有し、
前記筐体の前記受信素子に対応する位置に受信部を設け、該受信部に断面ほぼ三角形状の凹部を設けて、該凹部の底辺面を前記受信素子の前方に位置させたことを特徴とする空気調和機。
【請求項２】
前記筐体に設けた受信部を、該筐体の前記受信素子に対応する位置に開口部を設け、該開口部を、赤外線透過樹脂からなり前記断面ほぼ三角形状の凹部が設けられた受信部カバーにより閉塞するように構成したことを特徴とする請求項１記載の空気調和機。
【請求項３】
前記受信部に設けた断面ほぼ三角形状の凹部の底辺面を、垂直面に対して前側にθ°傾けたことを特徴とする請求項１又は２記載の空気調和機。
【発明の詳細な説明】
【技術分野】
【０００１】
本発明は、空気調和機に係り、より詳しくは、空気調和機の室内ユニットにおけるリモコンの受信部の構造に関するものである。
【背景技術】
【０００２】
空気調和機の室内ユニットには、リモコンによって運転操作を行うことができるように、リモコンから発信される信号を受信するための赤外線式の受信素子からなる受信器が設けられている。
この受信器は、通常、室内の居住者が室内ユニットの前面の斜め下方の位置からリモコンを操作することを考慮して、リモコンによる操作の際の受信距離を確保することができるように、室内ユニットの前方を向くように配置されている。
【０００３】
また、例えば開閉可能な前面パネルを備えた場合など、室内ユニットの形状や他の機器配置の制約などによっては、受信器を室内ユニットの底面又はその近傍に配置せざるを得ない場合があり、このような場合、受信器の前面側に設けた第１ケーシング（表示パネル）の形状を変えることで、受信性能を確保するようにした空気調和機がある（例えば、特許文献１参照）。
【先行技術文献】
【特許文献】
【０００４】
【特許文献１】特開２００６−１３２８７２号公報（第９−１０頁、図１０）
【発明の概要】
【発明が解決しようとする課題】
【０００５】
特許文献１の空気調和機において、室内ユニットの底面が、意匠性その他の品品の配置などの制約から、室内ユニットが設置されている壁に対して水平又はそれに近い面であった場合、室内ユニットの底面に配置される受信器は、リモコンから発信される赤外線などが透過しなければならない樹脂製の表示パネルの距離が長くなり、信号が減衰して上下方向の受信範囲が狭くなってしまうという問題があった。
【０００６】
本発明は、上記の課題を解決するためになされたもので、意匠性を損うことなく、室内ユニットの前面側から下側までの広範囲にわたってリモコン操作信号を受信することのできる空気調和機を提供することを目的としたものである。
【課題を解決するための手段】
【０００７】
本発明に係る空気調和機は、基台と筐体との間に送風ファンや熱交換器が設置されると共に、前記熱交換器の上流側にフィルタが設置され、前記基台にリモコン操作信号を受信する受信素子が設置された室内ユニットを有し、前記筐体の前記受信素子に対応する位置に受信部を設け、該受信部に断面ほぼ三角形状の凹部を設けて、該凹部の底辺面を前記受信素子の前方に位置させたものである。
【発明の効果】
【０００８】
本発明によれば、室内ユニットの樹脂製の筐体（又は別部品）に設けた受信部に断面ほぼ三角形状の凹部を設け、その底辺面を受信素子の前方に位置させて、リモコン操作信号が透過する距離を短かくしたので、受信素子は室内ユニットの前面下方から下側まで、広範囲にわたってリモコン操作信号を減衰することなく受信することができるため、リモコン操作範囲を大幅に拡大することができ、使い勝手のよい空気調和機を得ることができる。
【図面の簡単な説明】
【０００９】
【図１】本発明の実施の形態１に係る空気調和機の外観斜視図である。
【図２】図１の縦断面図である。
【図３】図１の分解斜視図である。
【図４】図１の筐体の要部の拡大図である。
【図５】図２の電気品箱の分解斜視図である。
【図６】電気品箱を基台に取付ける手順の説明図である。
【図７】電気品箱を基台に取付ける手順の説明図である。
【図８】電気品箱の電源線ガイド部品に受信器を取付ける手順の説明図である。
【図９】図８の受信器の分解斜視図である。
【図１０】図９の受信基板、送信基板及び基板結合部品を組立てた状態を示す側面図である。
【図１１】図１０の斜視図である。
【図１２】図９の組立状態を示す側面図である。
【図１３】基台に電気品箱を組み込んで筐体を取外した状態を示す説明図である。
【図１４】受信部カバーと受信素子の位置関係を示す説明図である。
【図１５】図１４の受信部カバーを透過するリモコン操作信号の状態を示す説明図である。
【図１６】本発明の実施の形態２に係る空気調和機の室内ユニットの要部の説明図である。
【発明を実施するための形態】
【００１０】
［実施の形態１］
本発明の実施の形態１に係る空気調和機の室内ユニット１は、図１〜図４に示すように、基台２と、この基台２の上面から前面を覆う筐体３とからなっている。そして、両者の間には基台２に回転自在に支持された送風ファン４が配置されており、送風ファン４の上流側には、送風ファン４を取り囲むように、例えばフィンチューブ型の熱交換器５が配置され、その下端部にはフラップを有するドレンパンユニット６が設置されている。
【００１１】
７は筐体３の上面に設けられた室内空気の吸込み口で、その下流側（熱交換器５の上流側）から筐体３の前面側上部内側にかけて、フィルタ自動清掃ユニット９を有するフィルタ８が設けられている。１０はフィルタ８の下端部に設置されたダストボックスである。１１は筐体３の前面側に配置され、ドレンパンユニット６とフィルタ自動清掃ユニット９に固定された表示装置ユニットで、表示装置ユニット１１を含む筐体３の前面側には、開閉及び取外し可能な前面意匠パネル１２が設けられている。
【００１２】
１３は送風ファン４の下流側に設けられた風路、１４は風路１３に連通し、調和空気である冷風又は温風を室内に吹出す吹出し口である。３０は後述の受信素子が搭載されて基台２に固定された電気品箱である。
【００１３】
２０はリモコン操作信号を受信する受信部で、筐体３の前面側下部の一方の側に設けられて、電気品箱３０の受信器に搭載された受信素子が位置する開口部２１と、赤外線透過樹脂からなり、開口部２１を閉塞する受信部カバー２２とからなり、受信部カバー２２はリモコン操作信号が透過する凹部２３を有し、背面に設けた係止爪２２ａ，２２ｂが開口部２１の上下に設けた係止穴２１ａ，２１ｂに係止して、着脱可能に取付けられる。
【００１４】
上記のような室内ユニット１を備えた空気調和機において、リモコンを操作するとその操作信号が受信部２０の受信素子に受信され、空気調和機が運転を開始する。そして、送風ファン４の回転によって吸込み口７から室内空気が吸引され、フィルタ８を通過して塵埃等が除去された空気は、熱交換器５を通過することにより冷気又は暖気に空気調和され、風路１３を経て吹出し口１４から室内に吹出される。
そして、フィルタ８に付着した塵埃等は、フィルタ自動清掃ユニット９により除去され、ダストボックス１０に落下して蓄積される。
【００１５】
次に、図５〜図１２により、受信器及びその配置について説明する。図５に示すように、電気品箱３０は、空気調和機の運転を制御する電子基板を内蔵した基板保持部品組立体３１と、この基板保持部品組立体３１にねじ６０により一体的に固定された電源線ガイド部品４１とからなっている。
【００１６】
そして、この電気品箱３０は、図６、図７に示すように、基板保持部品組立体３１に設けた係止部３２が基台２に設けた係止穴１５に係止し、電源線ガイド部品４１に設けた嵌合片４２が基台２の嵌合溝１６に嵌入係止される。さらに、基台２にねじ固定されたファンモータ保持部１７に設けたねじ穴１８に、電源線ガイド部品４１に設けた固定部４３がねじにより固定されて、電気品箱３０はこれら３点で基台２に固定される。
【００１７】
また、図８に示すように、電気品箱３０の電源線ガイド部４１に設けた係止穴４４に、受信器５０の係止爪５１が係止して取付けられる。
この受信器５０は、図９に示すように、受信素子５３が搭載された受信基板５２、送信基板５４、基板結合部品５５及び本体部５６ａとヒンジ部５６ｃを介して折返えされる蓋部５６ｂとからなる基板保持部品５６からなっている。
【００１８】
そして、図１０、図１１に示すように、基板結合部品５５はその係止爪５５ａが送信基板５４の係止穴５４ａに係止して固定され、また、基板結合部品５５に設けた係止片５５ｂが受信基板５２の表面に係止し、さらに、突起５５ｃが受信基板５２の切欠き部５２ａに嵌合することで、受信基板５２は基板結合部品５５に仮固定される。
【００１９】
このようにして一体化された受信基板５２、送信基板５４及び基板結合部品５５は、図１２に示すように、基板保持部品５６の本体部５６ａ上に設置され、ヒンジ部５６ｃにより蓋部５６ｂを折返えしてこれらを包囲し、本体部５６ａ及び蓋部５６ｂに設けた保持部５６ｄ，５６ｅの間に保持される。このとき、蓋部５６ｂに設けた係止爪５６ｇが本体部５６ａに設けた係止部５６ｆに係止することにより、受信基板５２、送信基板５４及び基板結合部品５５は、基板保持部品５６に確実に保持固定される。
【００２０】
上記のような基板保持部品組立体３１と電源線ガイド部品４１とが一体に結合された電気品箱３０は、図６、図１３に示すように、基台２の一方の側に固定され、その上（前面側）に筐体３が装着される。このとき、電気品箱３０の電源線ガイド部品４１に設けた受信素子５３は、筐体３の受信部２０において、開口部２１を介して受信器カバー２２の凹部２３（後述）の奥側（後方）に位置する。
【００２１】
図１４は受信部カバー２２と受信素子５３との位置関係を示す模式図である。受信部カバー２２の一部に前面側（上部）を頂角とする断面ほぼ三角形状で後面側（下部）が底辺（以下、底辺面２３ａという）となる凹部２３が設けられており、この凹部２３の底辺面２３ａの後方（内側）に受信素子５３が位置している。
【００２２】
リモコン操作信号は、受信素子５３に到達する前に必ず樹脂製の受信部カバー２２を透過する。この場合、リモコン操作信号は樹脂材（受信部カバー２２）を透過する距離が長いほど減衰する。そのため、リモコン操作可能な範囲を拡大するためには、樹脂材を透過する距離を短かくすることが必要である。
【００２３】
図１５は受信部２０の右側から見た受信素子５３の受信範囲を示す説明図である。室内ユニット１の前方からのリモコン操作信号Ｓ1が受信部カバー２２（樹脂材）を透過する距離はＡ、室内ユニット１の下部からのリモコン操作信号が樹脂材を透過する距離はＢ、その中間位置からのリモコン操作信号が樹脂材を透過する距離はＣとなる。
【００２４】
これは、受信部カバー２２の受信素子５３の前面側に、断面ほぼ三角形状の凹部２３が設けられているためで、室内ユニット１の前方からリモコンを操作した場合の樹脂材の透過距離Ａを短かくすることができ、これにより、リモコン操作可能範囲を室内ユニット１の前方まで拡大することができる。
【００２５】
ここで、図１５のＤの範囲は、受信素子５３が室内ユニット１の前方からのリモコン操作信号を受信する範囲を示し、この範囲における樹脂材の透過距離はほぼ等しく、Ａである。また、Ｅの範囲は、受信素子５３が室内ユニット１の下部からのリモコン操作信号を受信する範囲であり、この範囲では受信部カバー２２（樹脂材）がリモコン操作信号に対してほぼ垂直面に構成されているため樹脂材の透過距離Ｂ，Ｃは短かくなる。
【００２６】
このように、本発明においては、室内ユニット１の前方や下部からのリモコン操作信号が樹脂材を透過する距離が短かいため、受信素子５３は、どの方向からのリモコン操作信号も確実に受信することができる。
【００２７】
［実施の形態２］
図１６は本発明の実施の形態２に係る空気調和機の室内ユニット１の要部の説明図である。本実施の形態においては、受信器カバー２２に設けた凹部２３の底辺面２３ａを、垂直面に対して前側にθ°（実施例では１２°）傾斜させて薄肉化したものである。
このように構成したことにより、据付状態における室内ユニット１の前方約７ｍ相当の距離からのリモコン操作信号に対して、凹部２３の底辺面２３ａがほぼ垂直になり、リモコン操作信号の樹脂材を透過する距離をさらに短かくすることができる。その他の作用、効果は、実施の形態１の場合とほぼ同様である。
【００２８】
上記の説明では、受信部２０に赤外線透過樹脂からなり、リモコン操作信号が透過する断面ほぼ三角形状の凹部２３を有する受信部カバー２２を設けた場合を示したが、筐体３にリモコン操作信号が透過する断面ほぼ三角形状の凹部を直接設けてもよい。
しかし、このようにすると、筐体３は大型の成形品であるため、凹部の薄肉部に樹脂が充填されず、成形不良を起こすおそれがある。
【００２９】
また、このように構成する場合は、筐体全体をリモコン操作信号が減衰しにくい赤外線透過樹脂によって成形しなければならないが、赤外線透過樹脂は材料コストが高いため大幅なコストアップになり好ましくない。
本発明は、リモコン操作信号が透過する凹部２３が設けられた受信器カバー２２だけを赤外線透過樹脂により、筐体３とは別部品として形成したので、上記のような問題が発生するおそれはない。また、受信器カバー２２を筐体３と別部品にすることで、前面意匠パネル１２との調和がとり易く、意匠性を向上することができる。
【符号の説明】
【００３０】
１  室内ユニット、２  基台、３  筐体、４  送風ファン、５  熱交換器、７  吸込み口、８  フィルタ、９  フィルタ自動清掃ユニット、１２  前面意匠パネル、１４  吹出し口、２０  受信部、２２  受信部カバー、２３  三角形状の凹部、２３ａ  底辺面、３０  電気品箱、５０  受信器、５２  受信基板、５３  受信素子、５４  送信基板、５５  基板結合部品、５６  基板保持部品。
【図１】
2011075158.tif 000003
【図２】
2011075158.tif 000004
【図３】
2011075158.tif 000005
【図４】
2011075158.tif 000006
【図５】
2011075158.tif 000007
【図６】
2011075158.tif 000008
【図７】
2011075158.tif 000009
【図８】
2011075158.tif 000010
【図９】
2011075158.tif 000011
【図１０】
2011075158.tif 000012
【図１１】
2011075158.tif 000013
【図１２】
2011075158.tif 000014
【図１３】
2011075158.tif 000015
【図１４】
2011075158.tif 000016
【図１５】
2011075158.tif 000017
【図１６】
2011075158.tif 000018